(57)【要約】【課題】    刈り払い作業において作業者への小石等の飛散物が特に身体上部や顔面に衝突することをなくし飛散防止ガードが障害物などに接触することを防ぎ容易に作業状境に合わせて作業を中断することなく続けられる刈払機を提供する。【解決手段】    操作ハンドルを有する主軸の先端に回転刃を設けてなる刈払機において、前記主軸に取り付けるアルミ等金属からなるレール上をスライドするガード板が回転刃と作業者の間を遮断することで飛散物より身体上部や顔面を防御することができ、ガード板は視界の良い透明のパネルを使用しレールにより容易に前後に移動でき必要に合わせて折り畳み収納することができることを特徴とするレール式防塵ガード付き刈払機。【選択図】図１
2009089705.tif 000002
【特許請求の範囲】
【請求項１】
操作ハンドルを有する主軸の先端に回転刃を設けてなる刈払機において、前記主軸上側にアルミ等金属で作成したレール部分とレール上をスライドするガードの台座に垂直固定する透視性を有する板状の飛散防止ガードで構成したことを特徴とするレール式防塵ガード付き刈払機。
【請求項２】
レール部分にバネを設けることによってレール前部とガードの台座に接続することで作業現場の状況に合わせて容易にガード部分を前後へ移動することができ、ガード部分をたおして収納することができるように構成したことを特徴とする請求項１のレール式防塵ガード付き刈払機。
【請求項３】
飛散防止ガードは合成樹脂の枠体部分に透明性を有する板状の硬質塩化ビニールであることを特徴とする請求項１のレール式防塵ガード付き刈払機。
【発明の詳細な説明】
【技術分野】
【０００１】  本発明は、刈払機による草刈作業時に草や小石土等の飛散物から作業者を保護するレール式防塵ガード付き刈払機に関するものである。
【背景技術】
【０００２】  従来の刈払機の飛散防止カバーは作業者への飛散物の直撃を防止することを目的として刈払機の主軸の中間等に取り付け部材を介して網体を有するカバーを結合し網体部分を左右方向に移動可能な発明が知られている（特許文献１）。また回転刃の後部上面を覆う保護カバーが主軸に対して角度変更可能な発明が知られている（特許文献２）。
【特許文献１】特開平７−２３６４２号広報
【特許文献２】特開２００６−２９６３１１号広報
【発明の開示】
【発明が解決しようとする課題】
【０００３】    そのために、次のような問題点があった。
（イ）作業現場の状態により飛散防止カバーに立ち木などが当たりカバーの破損や作業がし難いことがありそのため飛散防止カバーの位置を変えるときは作業を中断する必要があった。
（ロ）これまでの飛散防止カバーで回転刃の後部上側または回転方向を遮断しても実際の作業では回転刃の先端方向より作業者の顔面に向かって直線的に飛散する小石等もあり身体上部や顔面を保護するには不十分であった。
本発明は、これらの問題点を解決するためになされたものである。
【課題を解決するための手段】
【０００４】  操作ハンドルを有する主軸の先端に回転刃を設けてなる刈払機において、前記主軸に取り付けるアルミ等金属で作成したレール部分とレール上をスライドするガードの台座に垂直固定する透視性を有する板状の飛散防止ガードで構成し回転刃による小石塵等の飛散物が作業者の身体上部に当たるのを防ぐことを特徴とするレール式防塵ガード付き刈払機。【０００５】  レール部分にバネを設けレール前部とガードの台座に接続することで作業現場の状況に合わせて容易にガード部分を前後に移動することができ、ガード部分をたおして収納することを特徴とするレール式防塵ガード付き刈払機である。【０００６】  飛散防止ガードは合成樹脂の枠体部分に透明性を有する板状の硬質塩化ビニールを固定したことを特徴とする請求項１のレール式防塵ガード付き刈払機。
【発明の効果】
【０００７】  本発明は草刈作業において高さの低い草などを刈る場合に地面と回転刃の接触などにより土や小石などの飛散物が回転刃の先端方向から顔面などを直撃するため身体上部と回転刃の中間を透明性を有する板状のガードで遮断することにより飛散物から身体上部や顔面を保護することができる。また、板状のガードは透明であるため視界も良く作業もやり良い。立ち木や背の高い草などがある場合はレールを使い予めガードを手前に移動すればガード部分に立ち木等が接触することもない。ガードが必要のないときは折り畳んだ状態で使用できるのでガードを取り外す手間もかからない。
【発明を実施するための最良の形態】
【０００８】  以下に本発明の実施の形態を図面に基づき説明する。
図１は刈払機の斜視図、図２は本考案の飛散防止ガード部分を手前に移動した状態である。図３は本考案のガード部分を収納した状態である。図４は本考案の飛散防止ガードを回転刃側（前部）より見た状態である。図５はハンドル側（後部）より見た本考案のガード部分である。図６は本考案を上部より見た図である。図７は要部の拡大斜視図である。
これらの図において７はエンジン、４は回転刃、３は主軸、１がハンドルであり５は既存の飛散防止カバーである、以上は刈払機の公知の構成要素である。【０００９】（イ）この刈払機１６の主軸３の中間に図７に示した止め金具１３とレール受け１４で固定するレール６にガード固定台８を通し図５のガード枠１７の蝶番１５をガード固定台８に差込みガード固定プレート２２の穴２５にガード板固定ネジ１０で固定する。また、レール６はアルミ等金属により形成され断面はコの字型であり上側が空いた構造でありガード固定台８の下側部分はアルミ等金属により形成された断面がロの字型の枠に合成樹脂からなるコの字型の台を結合し蝶番１５の差込口を備え、ガード固定ネジ穴とスライド止め穴が上部にある。ガード枠１７を移動するときに使用する引き手を後部に持つ構成である。
（ロ）図４に示すガード枠１７は合成樹脂等で形成され３面の枠に分かれている。中央の枠はガード固定台８に差し込み固定する。両側の枠は図３に示すように内側に折り畳むことができる。バネ２７により使用時はガード枠１７が開いている。収納時は開き止め２６により折り畳むことができる。ガード枠１７は図５に示すようにパネル差込部分２３をもち硬質塩化ビニール等で形成された透明パネル２１を上から差し込むよう構成されているので透明パネル２１を交換するときも容易である。
（ハ）図６に示すようにレール６の内側にバネ１２でレール受け１４とガード固定台８を繋ぎガード固定台８がレール６の前部へ誘導される。レール６の底には一定間隔にスライド止めの穴２４ｂがあり必要なところでスライド止め１１を差し込むことで固定されるよう構成されている。
【図面の簡単な説明】
【００１０】
【図１】本発明の実施例に係る刈払機の斜視図である。
【図２】図１の飛散防止ガード枠体を手前に移動した斜視図である。
【図３】図１のガード枠体を収納した斜視図である。
【図４】ガード枠体の回転刃側より見た斜視図である。
【図５】ガード枠体のハンドル側より見た斜視図である。
【図６】本発明の上側より見た平面図である。
【図７】本発明の要部斜視図である。
【図８】本発明の実施例に係る飛散防止ガード枠体の変形例を示す図である。
【図９】本発明の実施例に係る飛散防止ガード枠体の他の変形例を示す図である。
【符号の説明】
【００１１】１    操作ハンドル
２    ガード板
３    主軸
４    回転刃
５    既存の飛散防止カバー
６    レール
７    エンジン
８    ガード固定台
９    引き手
１０  ガード板固定ネジ
１１  スライド止め
１２  バネ
１３  止め金具（固定手段）
１４  レール受け
１５  蝶番
１６  刈払機
１７  ガード枠
１８  パネル押さえ枠
１９  ネット
２１  透明パネル
２２  ガード固定プレート
２３  パネル差込部分
２４ａ  スライド止め穴（ガード固定台側）
２４ｂ  （レール側）
２５  ガード固定ネジ穴
２６ａ  開口部
２６ｂ  差込体
２７  バネ
２８  突子
２９  合わせ式ガード枠
【図１】
2009089705.tif 000003
【図２】
2009089705.tif 000004
【図３】
2009089705.tif 000005
【図４】
2009089705.tif 000006
【図５】
2009089705.tif 000007
【図６】
2009089705.tif 000008
【図７】
2009089705.tif 000009
【図８】
2009089705.tif 000010
【図９】
2009089705.tif 000011